(57)【要約】【課題】ユーザーが誤って欧文を和文フォントで記載した文章を印刷しようとした場合や、欧文を和文フォントで記載されており編集が不可能な文書を印刷する場合に、画像形成装置が自動的に欧文フォントに置き換える技術を提供する。【解決手段】画像形成装置において、ＰＣからドキュメントの印刷要求を受けると、文字情報取得部６１は、ドキュメントの文字情報を取得する。つぎに、解析部６２が文字情報取得部６１が取得した文字情報を解析し、和欧混植文章であるか否かを判断し、フォント変換やレイアウト調整が必要であるか否かを決定する。ドキュメント反映部６４は、変換対応テーブル６３のフォント変換対応にしたがって欧文のフォントを変換し、フォント変換後のドキュメントのレイアウトの調整を行う。【選択図】図２
2016221740.tif 000002
【特許請求の範囲】
【請求項１】
ドキュメントを印刷できる画像形成装置であって、
印刷の対象のドキュメントを取得するドキュメント取得部と、
前記ドキュメントに使用されているフォントを検知するフォント検知部と、
前記ドキュメントで印字する文字が欧文か和文かを判断する判断部と、
前記ドキュメントの中に前記欧文が含まれ、前記欧文に和文フォントが使用されている場合に、前記和文フォントの前記欧文を欧文フォントに変更するフォント変更部と、
を備えることを特徴とする画像形成装置。
【請求項２】
前記フォント変更部で変更された前記ドキュメントのレイアウトを調整する調整部を備えることを特徴とする請求項１に記載の画像形成装置。
【請求項３】
前記フォント変更部は、前記和文フォントの前記欧文を欧文フォントに変更するときのフォントを指定するフォント指定部を備えることを特徴とする請求項１または２に記載の画像形成装置。
【請求項４】
画像形成装置で実行される印刷方法であって、
印刷の対象のドキュメントを取得するドキュメント取得ステップと、
和文フォントを用いたドキュメント中に欧文が含まれているか否かを判断する判断ステップと、
前記和文フォントを用いた欧文が含まれている場合に、前記欧文の前記和文フォントを欧文フォントに変更するフォント変更ステップと、
を備えることを特徴とする印刷方法。
【請求項５】
フォント変更後の前記ドキュメントのレイアウトを調整する調整ステップを備えることを特徴とする請求項４に記載の印刷方法。
【請求項６】
ドキュメントを印刷できる画像形成装置であって、
第１の言語の文に用いられる第１のフォントによって作成されたドキュメントの中に、前記第１の言語とは異なる第２の言語の文字が前記第１のフォントで表記されているか否かを検知する言語検知部と、
前記第２の言語の文字が前記第１のフォントで表記されている場合、その文字を前記第２の言語の文に用いられる第２のフォントに変更するフォント変更部と、
を備えることを特徴とする画像形成装置。
【請求項７】
前記フォント変更部で変更した後のドキュメントのレイアウトを調整する調整部を備えることを特徴とする請求項６に記載の画像形成装置。
【発明の詳細な説明】
【技術分野】
【０００１】
本発明は、印刷機能を備える画像形成装置及びそのような画像形成装置における印刷方法に関する。
【背景技術】
【０００２】
近年、グローバル化が進み和欧混植のドキュメントを作成する機会が多くなっている。ドキュメント作成時に欧文を和文フォントで記載すると可読性や視認性が低下することがある。そこで、例えば、あらかじめ和文フォントに対応付けた欧文フォントを設定し、ドキュメント作成の際に和文および欧文を打つ時に自動的に切り替える技術が提案されている（例えば、特許文献１参照）。また、和欧混植の場合、文字幅や大きさが異なることで可読性や視認性が低下する場合に対応して、文字の印字位置やサイズの調整、文字間隔を調整する技術も提案されている（例えば、特許文献２参照）。
【先行技術文献】
【特許文献】
【０００３】
【特許文献１】特開平２−１４８２５３号公報
【特許文献２】特開平４−１２７２７０号公報
【発明の概要】
【発明が解決しようとする課題】
【０００４】
ところで、例えば、これらはユーザーが誤って欧文を和文フォントで記載したドキュメントを印刷しようとしたときに、自動的に欧文フォントに切り替える事はできないという課題があった。すなわち、ドキュメントを作成するときにはフォント切り替えが可能であるが、ドキュメント作成後に印刷すべきデータがプリンター等に出力された後では修正することができなかった。また、編集不可能なドキュメントの場合、フォントを所望に変更できず、変更可能とする技術が求められていた。
【０００５】
本発明はこのような状況に鑑みてなされたものであり、上記課題を解決できる技術を提供することを目的とする。
【課題を解決するための手段】
【０００６】
本発明は、ドキュメントを印刷できる画像形成装置であって、印刷の対象のドキュメントを取得するドキュメント取得部と、前記ドキュメントに使用されているフォントを検知するフォント検知部と、前記ドキュメントで印字する文字が欧文か和文かを判断する判断部と、前記ドキュメントの中に前記欧文が含まれ、前記欧文に和文フォントが使用されている場合に、前記和文フォントの前記欧文を欧文フォントに変更するフォント変更部と、を備える。
また、前記フォント変更部で変更された前記ドキュメントのレイアウトを調整する調整部を備えてもよい。
また、前記フォント変更部は、前記和文フォントの前記欧文を欧文フォントに変更するときのフォントを指定するフォント指定部を備えてもよい。
本発明は、画像形成装置で実行される印刷方法であって、印刷の対象のドキュメントを取得するドキュメント取得ステップと、和文フォントを用いたドキュメント中に欧文が含まれているか否かを判断する判断ステップと、前記和文フォントを用いた欧文が含まれている場合に、前記欧文の前記和文フォントを欧文フォントに変更するフォント変更ステップと、を備える。
また、フォント変更後の前記ドキュメントのレイアウトを調整する調整ステップを備えてもよい。
本発明は、ドキュメントを印刷できる画像形成装置であって、第１の言語の文に用いられる第１のフォントによって作成されたドキュメントの中に、前記第１の言語とは異なる第２の言語の文字が前記第１のフォントで表記されているか否かを検知する言語検知部と、前記第２の言語の文字が前記第１のフォントで表記されている場合、その文字を前記第２の言語の文に用いられる第２のフォントに変更するフォント変更部と、を備える。
また、前記フォント変更部で変更した後のドキュメントのレイアウトを調整する調整部を備えてもよい。
【発明の効果】
【０００７】
本発明によると、複数の言語の文が含まれる文章を印刷する場合に、使用するフォントを画像形成装置で変更することができるので、印刷した文章の視認性を向上させることができる。
【図面の簡単な説明】
【０００８】
【図１】実施形態に係る、画像形成装置の概略構成を示すブロック図である。
【図２】実施形態に係る、フォント調整制御部の概略構成を示すブロック図である。
【図３】実施形態に係る、和文フォントと欧文フォントの変換対応関係例を示す図である。
【図４】実施形態に係る、和欧混植文章の自動変換機能の設定一覧の例を示す図である。
【図５】実施形態に係る、和欧混植文章の自動変換処理のフローチャートである。
【発明を実施するための形態】
【０００９】
以下、本発明を実施するための形態（以下、「実施形態」という）について図面を参照して説明する。本実施形態では、和欧混植文章の自動変換機能を備えた画像形成装置について説明する。画像形成装置は、印刷の対象のドキュメントを取得した場合、ドキュメントに使用されているフォントを調べ、ドキュメントの中に欧文が含まれおり、かつ、欧文に和文フォントが使用されている場合に、和文フォントの欧文を欧文フォントに変更する。また、必要に応じてフォント変更後のドキュメントのレイアウトを調整する。以下、具体的に説明する。
【００１０】
図１は、本実施形態に係る画像形成装置１０の概略構成を示すブロック図である。画像形成装置１０は、例えば、複合機やプリンター等であって、和欧混植文章の自動変換機能を有する。
【００１１】
画像形成装置１０は、制御部２０、通信処理部２２、印刷実行処理部３１、スキャン実行処理部３２、ユーザーＩＦ４０を備える。
【００１２】
通信処理部２２は、有線ＬＡＮや無線ＬＡＮ、ＵＳＢ通信等の通信インターフェイスであり、ＰＣ７０等の外部機器と通信可能に接続される。
【００１３】
制御部２０は、ＭＰＵ（Micro-Processing Unit）、ＲＯＭ（Read Only Memory）、ＲＡＭ（Random Access Memory）等を備え、印刷出力処理や、原稿等の読み取り処理、その他の各種処理を行う。また、制御部２０は、和欧混植文章の自動変換機能を実現するために、フォント調整制御部６０を備える。
【００１４】
印刷実行処理部３１は、一般的な印刷実行機能を有し、制御部２０からの指示により印刷動作を実行する。スキャン実行処理部３２は、一般的な構成であって、スキャナー、プラテンガラス、原稿読取スリット等を備える。
【００１５】
ユーザーＩＦ４０は、表示パネル部４１と、操作ボタン部４２を備える。表示パネル部４１は、画像形成装置１０に関するステータス情報や操作情報等を表示する。操作ボタン部４２は、画像形成装置１０に対するユーザー操作を受け付ける。なお、操作ボタン部４２は、表示パネル部４１と一体に構成されるタッチパネル式のインターフェイスや物理的ボタンのインターフェイスがあり、それらが組み合わさったインターフェイスであってもよい。
【００１６】
図２は、フォント調整制御部６０の概略構成を示すブロック図である。フォント調整制御部６０は、文字情報取得部６１と、解析部６２と、変換対応テーブル６３と、ドキュメント反映部６４とを備える。
【００１７】
文字情報取得部６１は、ＰＣ７０から取得した印刷すべきドキュメントから文字情報を抽出する。具体的には、文字情報取得部６１は、文字情報としてフォント情報を取得し、文字コードやシンボルセット情報などを抽出する。
【００１８】
解析部６２は、抽出した文字情報をもとに、フォントの変更が必要か否か、さらに、フォント変更の場合にレイアウトの変更が必要となるか否かを判断する。具体的には、解析部６２は、文字コードやシンボルセット情報などを元に印字しようとする文字が和文か欧文かを判断する。
【００１９】
更に、解析部６２は、変換対応テーブル６３を参照し、和文フォントかつ文字が欧文であった場合、所定の欧文フォントに切り替える。なお、ユーザーは、切り替えるフォントをユーザーＩＦ４０（表示パネル部４１、操作ボタン部４２）を用いて予め設定することができる。また、解析部６２は、フォント変更のドキュメントに対してレイアウト調整が必要であるか否かを判断し、必要であればレイアウトを調整する。レイアウト調整は、公知の技術（例えば、特許文献２に開示の技術）を用いることが出来る。
【００２０】
変換対応テーブル６３は、図３に示すような、和文フォントと欧文フォントの変換対応関係を保持する。ここでは、和文フォントに対して第１欧文フォントと第２欧文フォントが関連づけられている。第２欧文フォントは、レイアウト調整の際に第１欧文フォントでは適切なレイアウト調整が出来ない場合に用いられる。例えば、和文フォントが「ゴシック体」の場合、英文に対して第１欧文フォント「Ａｒｉａｌ」を用いて変換される。さらに、レイアウト調整の際に、必要に応じて第２欧文フォント「Ａｒｉａｌ Ｎａｒｒｏｗ」が用いられる。
【００２１】
図４は、和欧混植文章の自動変換機能の設定一覧の例を示す。ユーザーは、ユーザーＩＦ４０（表示パネル部４１、操作ボタン部４２）を用いて設定することができる。設定結果は、例えば、変換対応テーブル６３に保持される。ここでは、レイアウト調整項目として、「文字間隔調整」「改行調整」「フォント大きさ調整」「第２欧文フォント使用」について設定可能となっている。例えば、「文字間隔調整」については「英文」のみ調整するように設定されている。また、「フォント大きさ調整」は行わない設定となっている。
【００２２】
ドキュメント反映部６４は、ドキュメントに対して解析部６２で決定された変更内容（フォント変更やレイアウト調整）を反映し、印刷実行処理部３１から出力する。
【００２３】
なお、ドキュメント反映部６４は、最終的に印刷実行処理部３１から出力する前に、表示パネル部４１に変更後のドキュメントを印刷プレビューとして表示し、出力をしてよいか否かをユーザーに確認してもよい。その場合、ユーザーは操作ボタン部４２を操作して最終の印刷指示を行う。
【００２４】
図５に示す和欧混植文章の自動変換処理のフローチャートを参照して、処理の流れを纏めて説明する。
【００２５】
画像形成装置１０において、ＰＣ７０からドキュメントの印刷要求を受けると、文字情報取得部６１は、ドキュメントの文字情報を取得する（Ｓ１０）。つぎに、解析部６２が文字情報取得部６１が取得した文字情報を解析し、和欧混植文章であるか否かを判断し、フォント変換やレイアウト調整が必要であるか否かを決定する（Ｓ１２）。
【００２６】
フォント変換が必要な場合、ドキュメント反映部６４は、変換対応テーブル６３のフォント変換対応にしたがって欧文のフォントを変換する（Ｓ１４）。さらに、ドキュメント反映部６４は、フォント変換後のドキュメントのレイアウトの調整が必要であれば、レイアウト調整処理を行う（Ｓ１６）。その後、フォント変換、レイアウト調整後のドキュメントが印刷実行処理部３１から出力される。
【００２７】
本実施形態によると、ユーザーが誤って欧文を和文フォントで記載した文章を印刷しようとした場合や、欧文を和文フォントで記載されており編集が不可能な文書を印刷する場合に、画像形成装置１０が自動的に欧文フォントで置き換える。その結果、印刷された文章の可読性や視認性を向上させることができる。さらに、フォントの置き換える際に、文章のレイアウトを調整することもできるので、印刷した文章の品位を向上させることもできる。
【００２８】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、対象となる文章の言語は、日本語（和文）と英語（欧米文）に限る趣旨では無く、ある言語を対象とするフォントに、そのフォントで他の言語の文字を表記できるような場合にも、当然適用できる。
【符号の説明】
【００２９】
１０  画像形成装置
２０  制御部
２２  通信処理部
３１  印刷実行処理部
３２  スキャン実行処理部
４０  ユーザーＩＦ
４１  表示パネル部
４２  操作ボタン部
６０  フォント調整制御部
６１  文字情報取得部
６２  解析部
６３  変換対応テーブル
６４  ドキュメント反映部
【図１】
2016221740.tif 000003
【図２】
2016221740.tif 000004
【図３】
2016221740.tif 000005
【図４】
2016221740.tif 000006
【図５】
2016221740.tif 000007